(57)【要約】【課題】記憶容量を向上させることが可能な磁気ディスク装置を提供する。【解決手段】瓦記録において外周と内周との間のライトヘッドのスキュー角が０となる切替位置でシーケンシャルライト方向が反転される磁気ディスクからデータを読み出すためのマスタヘッドとして第１リードヘッドを割り当てるとともに、前記データの読み出し時のトラック間干渉、及びマスタヘッドとの波形平均化効果によりノイズを低減させるためのスレーブヘッドとして第２リードヘッドを割り当てる第１の制御と、前記マスタヘッドとして前記第２リードヘッドを割り当てるとともに、前記スレーブヘッドとして前記第１リードヘッドを割り当てる第２の制御とを切り替える。【選択図】図１
2015201238.tif 000002
【特許請求の範囲】
【請求項１】
瓦記録において外周と内周との間のライトヘッドのスキュー角が０となる切替位置でシーケンシャルライト方向が反転される磁気ディスクと、
前記磁気ディスクに記録されたデータを読み出す第１リードヘッドと、
前記磁気ディスクに記録されたデータを読み出す第２リードヘッドと、
前記データを読み出すためのマスタヘッドとして前記第１リードヘッドを割り当てるとともに、前記データの読み出し時のトラック間干渉、及びマスタヘッドとの波形平均化効果によりノイズを低減させるためのスレーブヘッドとして前記第２リードヘッドを割り当てる第１の制御と、前記マスタヘッドとして前記第２リードヘッドを割り当てるとともに、前記スレーブヘッドとして前記第１リードヘッドを割り当てる第２の制御とを切替可能な切替制御部とを備える磁気ディスク装置。
【請求項２】
前記スレーブヘッドで読み出された信号に基づいて、前記マスタヘッドで読み出された信号のトラック間干渉をキャンセルさせるキャンセル処理部と、
前記マスタヘッドで読み出された信号を遅延させる第１遅延部と、
前記スレーブヘッドで読み出された信号を遅延させる第２遅延部と、
前記マスタヘッドと前記スレーブヘッドとの切替に応じて前記第１遅延部と前記第２遅延部への設定を切り替える切替部とを備える請求項１に記載の磁気ディスク装置。
【請求項３】
前記磁気ディスクの外周側でＳＥＲゲインが最大化するように前記マスタヘッドと前記スレーブヘッドとの間のオフセットが設定される請求項１または２に記載の磁気ディスク装置。
【請求項４】
前記マスタヘッドおよび前記スレーブヘッドは、ボイスコイルモータの回転中心から前記マスタヘッドと前記スレーブヘッドとの間の中央に至る同一直線上からずれるように配置されている請求項１から３のいずれか１項に記載の磁気ディスク装置。
【請求項５】
前記切替位置で前記マスタヘッドと前記スレーブヘッドとが切り替えられる請求項１から４のいずれか１項に記載の磁気ディスク装置。
【請求項６】
瓦記録において外周と内周との間のライトヘッドのスキュー角が０となる切替位置でシーケンシャルライト方向が反転される磁気ディスクからデータを読み出すためのマスタヘッドとして第１リードヘッドを割り当てるとともに、前記データの読み出し時のトラック間干渉、及びマスタヘッドとの波形平均化効果によりノイズを低減させるためのスレーブヘッドとして第２リードヘッドを割り当てる第１の制御と、前記マスタヘッドとして前記第２リードヘッドを割り当てるとともに、前記スレーブヘッドとして前記第１リードヘッドを割り当てる第２の制御とを切り替える読み出し制御方法。
【請求項７】
前記マスタヘッドと前記スレーブヘッドとの切替に応じて、前記マスタヘッドで読み出された信号を遅延させるための設定と、前記スレーブヘッドで読み出された信号を遅延させるための設定とを切り替え、
前記スレーブヘッドで読み出された信号に基づいて、前記マスタヘッドで読み出された信号のトラック間干渉をキャンセルさせる請求項６に記載の読み出し制御方法。
【請求項８】
前記磁気ディスクの外周側でＳＥＲゲインが最大化するように前記マスタヘッドと前記スレーブヘッドとの間のオフセットが設定される請求項６または７に記載の読み出し制御方法。
【請求項９】
前記マスタヘッドおよび前記スレーブヘッドは、ボイスコイルモータの回転中心から前記マスタヘッドと前記スレーブヘッドとの間の中央に至る同一直線上からずれるように配置されている請求項６から８のいずれか１項に記載の読み出し制御方法。
【請求項１０】
前記切替位置で前記マスタヘッドと前記スレーブヘッドとが切り替えられる請求項６から９のいずれか１項に記載の読み出し制御方法。
【発明の詳細な説明】
【技術分野】
【０００１】
本発明の実施形態は、磁気ディスク装置および読み出し制御方法に関する。
【背景技術】
【０００２】
磁気ディスク装置では、記憶容量を増大させるため、隣接トラックの一部を重ねて記録する方法がある。この方法は瓦記録（シングル記録）と呼ばれることがある。すなわち、瓦記録により、従来よりもトラックピッチを狭くすることができる。トラックピッチが狭くなると、ライトトラックの隣接トラックは、ライトトラックからの磁気的影響を受けやすくなる。隣接トラックから読み出された信号をキャンセルするために、マルチリーダ方式が提案されている。
【先行技術文献】
【特許文献】
【０００３】
【特許文献１】特開平７−１７６０５２号公報
【発明の概要】
【発明が解決しようとする課題】
【０００４】
本発明の一つの実施形態は、記憶容量を向上させることが可能な磁気ディスク装置および読み出し制御方法を提供することを目的とする。
【課題を解決するための手段】
【０００５】
本発明の一つの実施形態によれば、瓦記録において外周と内周との間のライトヘッドのスキュー角が０となる切替位置でシーケンシャルライト方向が反転される磁気ディスクからデータを読み出すためのマスタヘッドとして第１リードヘッドを割り当てるとともに、前記データの読み出し時のトラック間干渉、及びマスタヘッドとの波形平均化効果によりノイズを低減させるためのスレーブヘッドとして第２リードヘッドを割り当てる第１の制御と、前記マスタヘッドとして前記第２リードヘッドを割り当てるとともに、前記スレーブヘッドとして前記第１リードヘッドを割り当てる第２の制御とを切り替える。
【図面の簡単な説明】
【０００６】
【図１】図１（ａ）は、一実施形態に係る磁気ディスク装置に適用されるキャリッジの概略構成を示す平面図、図１（ｂ）は、一実施形態に係る磁気ディスク装置の概略構成を示すブロック図である。
【図２】図２（ａ）は、図１（ａ）の磁気ディスクにおけるトラック配置を示す平面図、図２（ｂ）は、図２（ａ）の領域ＲＡの部分を拡大して示す平面図、図２（ｃ）は、図２（ａ）の領域ＲＢの部分を拡大して示す平面図、図２（ｄ）は、図２（ａ）のサーボエリアの構成例を示す図である。
【図３】図３は、図１（ａ）のリードヘッドのトラッキング方法を示す平面図である。
【図４】図４は、図１（ａ）のリードヘッド間のオフセットをトラックピッチで規格化した値とセクタエラーレートゲインとの関係を示す図である。
【図５】図５（ａ）は、比較例に係るリードヘッドがクロストラック方向に移動した時のリードヘッドの位置関係を示す平面図、図５（ｂ）は、一実施形態に係るリードヘッドがクロストラック方向に移動した時のリードヘッドの位置関係を示す平面図である。
【図６】図６は、図１（ｂ）のリードライトチャネルの概略構成を示すブロック図である。
【図７】図７は、一実施形態に係るゾーンとセクタエラーレートゲインとの関係を比較例と比較して示す図である。
【図８】図８は、一実施形態に係るゾーンと容量ゲインとの関係を比較例と比較して示す図である。
【発明を実施するための形態】
【０００７】
以下に添付図面を参照して、実施形態に係る磁気ディスク装置を詳細に説明する。なお、これらの実施形態により本発明が限定されるものではない。
【０００８】
図１（ａ）は、一実施形態に係る磁気ディスク装置に適用されるキャリッジの概略構成を示す平面図、図１（ｂ）は、一実施形態に係る磁気ディスク装置の概略構成を示すブロック図、図２（ａ）は、図１（ａ）の磁気ディスクにおけるトラック配置を示す平面図、図２（ｂ）は、図２（ａ）の領域ＲＡの部分を拡大して示す平面図、図２（ｃ）は、図２（ａ）の領域ＲＢの部分を拡大して示す平面図、図２（ｄ）は、図２（ａ）のサーボエリアの構成例を示す図である。
図１において、磁気ディスク装置には、磁気ディスク２が設けられ、磁気ディスク２はスピンドル１０を介して支持されている。磁気ディスク２は、瓦記録において外周と内周との間の所定の切替位置でクロストラック方向におけるライト方向が反転される。また、磁気ディスク装置には、ライトヘッドＷおよびリードヘッドＲ１、Ｒ２が設けられている。リードヘッドＲ１、Ｒ２は、データを読み出すためのマスタヘッドまたはデータの読み出し時のトラック間干渉（ＩＴＩ：Ｉｎｔｅｒ  Ｔｒａｃｋ  Ｉｎｔｅｒｆｅｒｅｎｃｅ）を低減させるためのスレーブヘッドとして用いることができる。また、このマスタヘッドとスレーブヘッドとによって、２つの波形から得られるビットサンプル毎の平均値を用いることでランダム性のノイズを低減させる波形平均化効果を得ることができる。そして、ライトヘッドＷおよびリードヘッドＲ１、Ｒ２は、磁気ディスク２に対向するように配置されている。ここで、ライトヘッドＷおよびリードヘッドＲ１、Ｒ２はスライダＤにて保持されている。スライダＤはサスペンションＳを介してアームＡにて保持されている。スライダＤは、ライトヘッドＷおよびリードヘッドＲ１、Ｒ２を磁気ディスク２上で浮上させることができる。サスペンションＳはスライダＤの浮上量を安定させることができる。アームＡは、スライダＤを水平面内でスライドさせることができる。
【０００９】
ここで、図２（ａ）、図２（ｄ）に示すように、磁気ディスク２には、ダウントラック方向ＤＥに沿ってトラックＴが設けられている。各トラックＴには、ユーザデータがライトされるデータエリアＤＡおよびサーボデータがライトされたサーボエリアＳＳが設けられている。ここで、サーボエリアＳＳはクロストラック方向ＤＣに放射状に配置され、サーボエリアＳＳ間にデータエリアＤＡが配置されている。サーボエリアＳＳには、図２（ｄ）に示すように、プリアンブル４０、サーボエリアマーク４１、セクタ／シリンダ情報４２およびバーストパターン４３がライトされている。なお、セクタ／シリンダ情報４２は、磁気ディスク２の円周方向および半径方向のサーボ番地を与えることができ、ライトヘッドＷおよびリードヘッドＲ１、Ｒ２を目標トラックまで移動させるシーク制御に用いることができる。バーストパターン４３は、ライトヘッドＷおよびリードヘッドＲ１、Ｒ２を目標トラックの範囲内に位置決めするトラッキング制御に用いることができる。このバーストパターン４３は、ヌル型パターン又は面積型パターンであってもよいし、位相差型パターンであってもよい。これらのサーボデータは、セルフサーボライトにて磁気ディスク２に記録するようにしてもよいし、専用のサーボライタにて磁気ディスク２に記録するようにしてもよい。
ここで、磁気ディスク２には瓦記録が行われる。この時、外周と内周との間のライトヘッドのスキュー角が０となる切替位置Ｐでシーケンシャルライト方向が反転される。すなわち、切替位置Ｐより外周側では、外周から内周に向かう方向にライト方向Ｄ１が設定され、切替位置Ｐより内周側では、内周から外周に向かう方向にライト方向Ｄ２が設定される。この時、図２（ｂ）に示すように、外周側のトラックＴ１〜Ｔ４では、外周側のトラックの一部が内周側の隣接トラックで上書きされる。また、図２（ｃ）に示すように、内周側のトラックＴ１１〜Ｔ１４では、内周側のトラックの一部が外周側の隣接トラックで上書きされる。なお、切替位置Ｐは外周と内周との間の中周に設けることができる。
【００１０】
図１に戻り、磁気ディスク装置には、アームＡを駆動するボイスコイルモータ４が設けられるとともに、スピンドル１を介して磁気ディスク２を回転させるスピンドルモータ３が設けられている。磁気ディスク２、スライダＤ、サスペンションＳ、アームＡ、ボイスコイルモータ４、スピンドルモータ３およびスピンドル１０は、ケース１に収容されている。
【００１１】
また、磁気ディスク装置には磁気記録制御部５が設けられ、磁気記録制御部５には、ヘッド制御部６、パワー制御部７、リードライトチャネル８およびハードディスク制御部９が設けられている。
【００１２】
ヘッド制御部６には、ライト電流制御部６Ａおよび再生信号検出部６Ｂが設けられている。パワー制御部７には、スピンドルモータ制御部７Ａおよびボイスコイルモータ制御部７Ｂが設けられている。ハードディスク制御部９には、ヘッド切替制御部９Ａが設けられている。
【００１３】
ヘッド制御部６は、記録再生時における信号を増幅したり検出したりすることができる。ライト電流制御部６Ａは、ライトヘッドＷに流れるライト電流を制御することができる。再生信号検出部６Ｂは、リードヘッドＲ１、Ｒ２にて読み出された信号を検出することができる。
【００１４】
パワー制御部７は、ボイスコイルモータ４およびスピンドルモータ３を駆動することができる。スピンドルモータ制御部７Ａは、スピンドルモータ３の回転を制御することができる。ボイスコイルモータ制御部７Ｂは、ボイスコイルモータ４の駆動を制御することができる。
【００１５】
リードライトチャネル８は、ヘッド制御部６とハードディスク制御部９との間でデータの受け渡しを行うことができる。なお、データとしては、リードデータ、ライトデータおよびサーボデータを挙げることができる。例えば、リードライトチャネル８は、リードヘッドＲ１、Ｒ２にて再生される信号をホストＨＳで扱われるデータ形式に変換したり、ホストＨＳから出力されるデータをライトヘッドＷにて記録される信号形式に変換したりすることができる。このような形式変換としては、ＤＡ変換や符号化を挙げることができる。また、リードライトチャネル８は、リードヘッドＲ１、Ｒ２にて再生された信号のデコード処理を行ったり、ホストＨＳから出力されるデータをコード変調したりすることができる。
【００１６】
ハードディスク制御部９は、外部からの指令に基づいて記録再生制御を行ったり、外部とリードライトチャネル８との間でデータの受け渡しを行ったりすることができる。なお、ハードディスク制御部９には、記録再生制御を行う汎用プロセッサと、ホストＨＳとリードライトチャネル８との間でデータの受け渡しを行う専用プロセッサを設けるようにしてもよい。ヘッド切替制御部９Ａは、マスタヘッドとしてリードヘッドＲ１を割り当てるとともに、スレーブヘッドとしてリードヘッドＲ２を割り当てる制御と、マスタヘッドとしてリードヘッドＲ２を割り当てるとともに、スレーブヘッドとしてリードヘッドＲ１を割り当てる制御とを切り替えることができる。この時、リードライトチャネル８は、マスタヘッドとスレーブヘッドとの切替に応じて、マスタヘッドで読み出された信号を遅延させるための設定と、スレーブヘッドで読み出された信号を遅延させるための設定とを切り替えることができる。
【００１７】
そして、磁気記録制御部５はホストＨＳに接続されている。なお、ホストＨＳとしては、ライトコマンドやリードコマンドを磁気ディスク装置に発行するパーソナルコンピュータであってもよいし、外部インターフェースであってもよい。
【００１８】
そして、スピンドル１を介して磁気ディスク２が回転されながら、リードヘッドＲ１、Ｒ２を介して磁気ディスク２から信号が読み出され、読み出された信号は、再生信号検出部６Ｂにて検出される。再生信号検出部６Ｂにて検出された信号は、リードライトチャネル８にてデータ変換された後、ハードディスク制御部９に送られる。そして、ハードディスク制御部９において、再生信号検出部６Ｂにて検出された信号に含まれるサーボデータに基づいてリードヘッドＲ１、Ｒ２のトラッキング制御が行われる。また、リードライトチャネル８において、リードヘッドＲ１、Ｒ２がマスタヘッドおよびスレーブヘッドとして用いられることで、データの読み出し時のトラック間干渉、及びマスタヘッドとの波形平均化効果によりノイズが低減又はキャンセルされる。
【００１９】
図３は、図１（ａ）のリードヘッドのトラッキング方法を示す平面図、図４は、図１（ａ）のリードヘッド間のオフセットをトラックピッチで規格化した値とセクタエラーレートゲインとの関係を示す図である。
図３において、マスタヘッドＲＭは、データが読み出される対象トラックＴＭ上を走査する。また、スレーブヘッドＲＳは、対象トラックＴＭの一部に跨りながら、対象トラックＴＭに隣接する隣接トラックＴＳを走査する。ここで、マスタヘッドＲＭとスレーブヘッドＲＳとの間のオフセットΔＦを最適化することで、データの読み出し時のトラック間干渉、及びマスタヘッドとの波形平均化効果によりノイズを効果的に低減又はキャンセルさせることができ、図４に示すように、セクタエラーレートゲイン（以下、ＳＥＲゲインとも言う）を増大させることができる。なお、オフセットΔＦは、マスタヘッドＲＭとスレーブヘッドＲＳとの中心間のクロストラック方向ＤＣにおける距離である。ＳＥＲは、リードエラーセクタ数／リード総セクタ数で定義されるリードエラー性能である。
【００２０】
図５（ａ）は、比較例に係るリードヘッドがクロストラック方向に移動した時のリードヘッドの位置関係を示す平面図、図５（ｂ）は、一実施形態に係るリードヘッドがクロストラック方向に移動した時のリードヘッドの位置関係を示す平面図である。
図５（ａ）において、マスタヘッドＲＭおよびスレーブヘッドＲＳがボイスコイルモータ４の回転中心からスライダＤの中心に至る同一直線上に配置されているものとする。また、マスタヘッドＲＭとスレーブヘッドＲＳとの切り替えが行われないものとする。この場合、ライト方向Ｄ１、Ｄ２の境界でオフセットΔＦを０に設定しなければ、マスタヘッドＲＭおよびスレーブヘッドＲＳの位置関係がトラック間干渉キャンセルリードの方向の関係を満たさなくなる。このため、磁気ディスク２の中周ではＳＥＲゲインが低下する。また、磁気ディスク２の外周側と内周側では、スキューに起因して最適でないオフセットΔＦに応じたＳＥＲゲインしか得られない。
【００２１】
一方、図５（ｂ）において、マスタヘッドＲＭおよびスレーブヘッドＲＳがボイスコイルモータ４の回転中心からスライダＤの中心に至る同一直線上からずれるように配置されているものとする。また、ライト方向Ｄ１、Ｄ２の境界でマスタヘッドＲＭとスレーブヘッドＲＳとの切り替えが行われるものとする。この場合、マスタヘッドＲＭおよびスレーブヘッドＲＳの位置関係がトラック間干渉キャンセルリードの方向の関係を満たしつつ、ライト方向Ｄ１、Ｄ２の境界でオフセットΔＦを０に設定する必要がなくなるとともに、磁気ディスク２の外周側でオフセットΔＦを最適化することができる。このため、磁気ディスク２の外周側でＳＥＲゲインを増大させることが可能となり、記憶容量を向上させることが可能となる。
マスタヘッドＲＭとスレーブヘッドＲＳとの切り替えを行う場合、リードライトチャネル８は、マスタヘッドＲＭで読み出された信号の遅延量と、スレーブヘッドＲＳで読み出された信号の遅延量も切り替えることができる。
【００２２】
図６は、図１（ｂ）のリードライトチャネルの概略構成を示すブロック図である。
図６において、リードライトチャネル８には、上下非対称補正部１１Ａ、１１Ｂ、自動ゲイン調整部１２Ａ、１２Ｂ、連続時間型フィルタ１３Ａ、１３Ｂ、ＡＤ変換器１４Ａ、１４Ｂ、遅延素子１５Ａ、１５Ｂ、信号処理部１６およびヘッド切替部１７が設けられている。信号処理部１６には、データの読み出し時のトラック間干渉をキャンセルするキャンセル処理部／アベレージ処理部１６Ａが設けられている。なお、連続時間型フィルタ１３Ａ、１３Ｂは、高周波ノイズを低減させるローパスフィルタを用いることができる。遅延素子１５Ａ、１５Ｂの遅延量は、トラック間干渉キャンセルリードにおけるマスタヘッドＲＭとスレーブヘッドＲＳの時間差が解消されるように設定することができる。ヘッド切替部１７は、リードヘッドＲ１、Ｒ２がそれぞれマスタヘッドＲＭおよびスレーブヘッドＲＳの場合、リードヘッドＲ１、Ｒ２がそれぞれ上下非対称補正部１１Ａ、１１Ｂ側に接続され、リードヘッドＲ１、Ｒ２がそれぞれスレーブヘッドＲＳおよびマスタヘッドＲＭの場合、リードヘッドＲ１、Ｒ２がそれぞれ上下非対称補正部１１Ｂ、１１Ａ側に接続されるように切替を行うことができる。
【００２３】
そして、リードヘッドＲ１、Ｒ２がそれぞれマスタヘッドＲＭおよびスレーブヘッドＲＳの場合、リードヘッドＲ１から読み出された信号は、上下非対称補正部１１Ａ→自動ゲイン調整部１２Ａ→連続時間型フィルタ１３Ａ→ＡＤ変換器１４Ａ→遅延素子１５Ａという経路で信号処理部１６に送られ、リードヘッドＲ２から読み出された信号は、上下非対称補正部１１Ｂ→自動ゲイン調整部１２Ｂ→連続時間型フィルタ１３Ｂ→ＡＤ変換器１４Ｂ→遅延素子１５Ｂという経路で信号処理部１６に送られる。
一方、リードヘッドＲ１、Ｒ２がそれぞれスレーブヘッドＲＳおよびマスタヘッドＲＭの場合、リードヘッドＲ１から読み出された信号は、上下非対称補正部１１Ｂ→自動ゲイン調整部１２Ｂ→連続時間型フィルタ１３Ｂ→ＡＤ変換器１４Ｂ→遅延素子１５Ｂという経路で信号処理部１６に送られ、リードヘッドＲ２から読み出された信号は、上下非対称補正部１１Ａ→自動ゲイン調整部１２Ａ→連続時間型フィルタ１３Ａ→ＡＤ変換器１４Ａ→遅延素子１５Ａという経路で信号処理部１６に送られる。
【００２４】
そして、リードヘッドＲ１、Ｒ２から読み出された信号が信号処理部１６に送られると、キャンセル処理部／アベレージ処理部１６Ａにおいて、マスタヘッドＲＭが読み出した信号とスレーブヘッドＲＳが読み出した信号とに基づいて、対象トラックＴＭに記録されたデータに対応する信号が取得される。すなわち、マスタヘッドＲＭが読み出した信号から、スレーブヘッドＲＳが隣接トラックＴＳから読み出した分が引かれることで、マスタヘッドＲＭが対象トラックＴＭから読み出した分の信号が取得される。また、スレーブヘッドＲＳが対象トラックＴＭから読みだした信号とマスタヘッドＲＭが対象トラックＴＭから読みだした信号の波形を平均化することで、ランダム性のノイズを低減させた対象トラックＴＭの信号が取得される。
【００２５】
図７は、一実施形態に係るゾーンとセクタエラーレートゲインとの関係を比較例と比較して示す図である。なお、ＬＡ１は比較例として図５（ａ）の構成を用いた場合の関係、ＬＡ２は実施形態として図５（ｂ）の構成を用いた場合の関係を示す。
ＬＡ１（比較例）においては、ライト方向Ｄ１、Ｄ２の境界でオフセットΔＦが０に設定される。このため、磁気ディスク２の中周ではＳＥＲゲインが低下する。また、磁気ディスク２の外周側と内周側では、スキューに起因して最適でないオフセットΔＦに応じたＳＥＲゲインしか得られない。
一方、ＬＡ２（実施形態）においては、磁気ディスク２の外周側でオフセットΔＦを最適化することにより、ＬＡ１に比べて外周側のＳＥＲゲインを向上させることができる。また、磁気ディスク２の外周側から内周側に向かうに従ってＳＥＲゲインが線形となるようにオフセットΔＦを設定することができる。このため、ＬＡ１に比べて磁気ディスク２の中周でのＳＥＲゲインを向上させることができる。
【００２６】
図８は、一実施形態に係るゾーンと容量ゲインとの関係を比較例と比較して示す図である。なお、ＬＢ１は図５（ａ）の構成を用いた場合、ＬＢ２は図５（ｂ）の構成を用いた場合を示す。
図８において、図５（ｂ）の構成を用いた場合、図５（ａ）の構成を用いた場合に比べて記憶容量の大きい外周側でＳＥＲゲインを向上させることができ、容量ゲインを向上させることができる。図５（ｂ）の構成を用いた場合、図５（ａ）の構成を用いた場合に比べて磁気ディスク２の内周側でＳＥＲゲインが小さくなるが、磁気ディスク２の内周側は記憶容量が小さいので、記憶容量の損失を最小限に留めることができる。このため、磁気ディスク２の内周側での記憶容量の損失を上回る記憶容量の増大効果を磁気ディスク２の外周側で得ることができ、磁気ディスク２全体では記憶容量を増大させることができる。なお、ここで言う記憶容量は、あるＳＥＲ以下を達成するという条件でＢＰＩ（Ｂｉｔ  Ｐｅｒ  Ｉｎｃｈ）×  ＴＰＩ（Ｔｒａｃｋ  Ｐｅｒ  Ｉｎｃｈ）で定義される面記録密度が最大となる値である。容量ゲインは、図５（ｂ）の実施形態と図５（ａ）の比較例との間の記憶容量の差分である。
【００２７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２８】
１  ケース、２  磁気ディスク、３  スピンドルモータ、Ｄ  スライダ、Ｗ  ライトヘッド、Ｒ１、Ｒ２  リードヘッド、Ｓ  サスペンション、Ａ  アーム、４  ボイスコイルモータ、５  磁気記録制御部、６  ヘッド制御部、６Ａ  ライト電流制御部、６Ｂ  再生信号検出部、７  パワー制御部、７Ａ  スピンドルモータ制御部、７Ｂ  ボイスコイルモータ制御部、８  リードライトチャネル、９  ハードディスク制御部、９Ａ  ヘッド切替制御部
【図１】
2015201238.tif 000003
【図２】
2015201238.tif 000004
【図３】
2015201238.tif 000005
【図４】
2015201238.tif 000006
【図５】
2015201238.tif 000007
【図６】
2015201238.tif 000008
【図７】
2015201238.tif 000009
【図８】
2015201238.tif 000010